(57)【特許請求の範囲】
【請求項１】
芳香性化合物と溶剤またはキャリアとを含む香料組成物であって、組成物の溶剤およびキャリアの総重量を基準として少なくとも１０重量％が、下式Ｉ：
0006720195.tif 000013
［式中、
Ｒ１およびＲ２は、互いに独立して、メチル又はイソブチルからなる群の中で選択され、
Ｒ３は、ＨまたはＲ４がメチルである状態で、−Ｃ（＝Ｏ）Ｒ４基である］
の少なくとも１つの化合物であって、
ここで、前記組成物が、総量が組成物の総重量を基準として４０重量％を超えない、水、界面活性剤、着色剤及び増強剤から選択される他の成分を含む、香料組成物。
【請求項２】
式Ｉの２つもしくはそれ以上の化合物のブレンドを含む、請求項１に記載の香料組成物。
【請求項３】
式Ｉの２つもしくはそれ以上の化合物のブレンドが、以下の化合物Ｉ．１およびＩ．２：
0006720195.tif 000014
を含む、請求項２に記載の香料組成物。
【請求項４】
式Ｉの少なくとも１つの化合物が、香料組成物の溶剤およびキャリアの総重量を基準として少なくとも２０重量％を表す、請求項１〜３のいずれか一項に記載の香料組成物。
【請求項５】
式Ｉの化合物が、香料組成物の溶剤およびキャリアの総重量を基準として１００重量％を表す、請求項１〜４のいずれか一項に記載の香料組成物。
【請求項６】
芳香性化合物が、香料組成物の総重量を基準として１０〜８０重量％を表す、請求項１〜５のいずれか一項に記載の香料組成物。
【請求項７】
芳香性化合物を少なくとも含む香料組成物中の溶剤またはキャリアとしての下式Ｉ：
0006720195.tif 000015
［式中、
Ｒ１およびＲ２は、互いに独立して、メチル又はイソブチルからなる群の中で選択され、
Ｒ３は、ＨまたはＲ４がメチルである状態で、−Ｃ（＝Ｏ）Ｒ４基である］
の少なくとも１つの化合物の使用であって、式Ｉの化合物が、組成物の溶剤およびキャリアの総重量を基準として少なくとも１０重量％を表し、ここで、前記組成物が、総量が組成物の総重量を基準として４０重量％を超えない、水、界面活性剤、着色剤及び増強剤から選択される他の成分を含む、使用。
【請求項８】
エアケアデバイス（エアケアデバイスは、ウィッキングデバイス、電気デバイスまたはエアゾールデバイスである）での、芳香性化合物と溶剤またはキャリアとを含む香料組成物の使用であって、下式Ｉ：
0006720195.tif 000016
［式中、
Ｒ１およびＲ２は、互いに独立して、メチル又はイソブチルからなる群の中で選択され、
Ｒ３は、ＨまたはＲ４がメチルである状態で、−Ｃ（＝Ｏ）Ｒ４基である］
の少なくとも１つの化合物が、組成物の溶剤およびキャリアの総重量を基準として少なくとも１０重量％の量で存在し、ここで、前記組成物が、総量が組成物の総重量を基準として４０重量％を超えない、水、界面活性剤、着色剤及び増強剤から選択される他の成分を含む、使用。
【請求項９】
請求項１〜６のいずれか一項に記載の香料組成物を含むエアケアデバイスであって、エアケアデバイスが、ウィッキングデバイス、電気デバイスまたはエアゾールデバイスであるデバイス。
【請求項１０】
電気液体エアフレッシュナーである、請求項９に記載のエアケアデバイス。
【請求項１１】
プラグ−インである、請求項９または１０に記載のエアケアデバイス。
【請求項１２】
リードディフューザーである、請求項９に記載のエアケアデバイス。
【発明の詳細な説明】
【技術分野】
【０００１】
本発明は、とりわけエアケアデバイスにおいて使用するための、溶剤および／またはキャリアとして、低蒸気圧ＶＯＣを含有する新規香料組成物に関する。
【背景技術】
【０００２】
エアケアデバイスの分野における問題は、消費者によって気付かれるような、時間とともに変わりやすい芳香プロフィールをもたらす、異なる揮発性の香り成分の制御されない「蒸留」である。香料でのキャリアまたは溶剤の使用は、これらの香り成分の一様な分配または蒸発に役立ち、より均一な芳香プロフィールをもたらす。
【０００３】
グリコールエーテル、イソパラフィン系溶剤（例えば、ＥｘｘｏｎＭｏｂｉｌから商業的に入手可能なＩｓｏｐａｒ（登録商標）溶剤）および様々な分岐エステルなどの、多くの物質が、エアケアデバイスにおいてキャリアとして使用されている。これらの物質に関連した１つの問題は、多くがＶＯＣ（揮発性有機化合物）として分類されることである。ＶＯＣは、ますます環境および規制懸念事項である。雰囲気に対して有害ではなく、そして最も厳しい環境規制下でさえも一般的に良いとされる、１クラスのＶＯＣ、低蒸気圧ＶＯＣ（ＬＶＰ−ＶＯＣ）が存在する。このクラスのＶＯＣは、標準定義で定義されるような正規ＶＯＣよりも低い蒸気圧（例えば、２０℃で０．１ｍｍＨｇ未満）を有する。
【０００４】
Ｄｏｗａｎｏｌ  ＤＰＭＡ（ジプロピレングリコールメチルエーテルアセテート）の使用は、香料組成物において低蒸気圧ＶＯＣを有し、米国特許第８，６０３，９６３号明細書から公知である。しかし、それは非常に低い蒸発速度（１．５、ｎ−ブチルアセテート＝１００）を示し、それは、石油化学源に由来し、そしてまた非快適臭を示す。リードディフューザーのような、いくつかのデバイスでは、溶剤の臭いは、これが芳香と競合し得るので問題であり得るだろう。Ｄｏｗａｎｏｌの非常に低い蒸発速度に関して、環境への良好な広がりを有するために香料組成物の減量が２．０〜３．０ｇ／日でなければならないので、それはまた、リードディフューザーにおいて問題である。
【０００５】
アルキル−４−ヒドロキシメチル−１，３−ジオキソラン分子は、石油化学源からの製品に取って代わることができる、それらの良好な可溶化特性、良好な物理化学特性、低い臭気および良好なＨＳＥプロフィールのために、コーティング、ペイント、クリーニング組成物、可溶化活性剤のような多くの異なる用途に使用されていることが知られている。しかし、それらの分子は、とりわけエアデバイス用の、香料組成物に決して使用されてこなかった。
【０００６】
高蒸気圧ＶＯＣの低減した含有量を有する新規香料組成物が依然として必要とされている。例えば、加熱されたウィック配送システム、圧電式噴霧システム、電気スプレーデバイス、Ｖｅｎｔｕｒｉデバイスなどの、液体電気エアフレッシュナーまたはリードディフューザーのようなウィッキングデバイスに使用するためにとりわけ、その溶剤またはキャリアが主として低蒸気圧ＶＯＣである香料組成物が必要とされている。液体電気エアフレッシュナーおよびリードディフューザーに一般に見いだされるグリコールエーテル化合物の多くに関連した規制上の問題を回避する、エアフレッシュナーに使用するのに好適な香料組成物を提供することが望まれる。その間ずっと、香料の少なくとも実質的にすべてが、好ましくは制御されたやり方で、周囲環境中へ効果的に蒸発する、所定の期間（例えば、３０日、または４０日、または６０日）内に蒸発速度が調整される香料組成物を提供することがまた望まれる。
【０００７】
したがって、溶剤またはキャリアとして、製造するのに経済的であり、かつ、低い毒性および低い可撚性などの、良好な安全性特性を有する低圧ＶＯＣを主として含有する香料組成物を提供することが目的である。有利には、溶剤またはキャリアとして使用される、低蒸気圧ＶＯＣが再生可能源から合成される、そのような香料組成物を提供することが目的である。
【０００８】
本発明の別のおよび関連した目的は、制御可能な蒸発速度を有する溶剤またはキャリアとして、低圧ＶＯＣを本質的に含有する、そして、例えば、リードディフューザーのようなウィック型エア芳香ディスペンサー（エアフレッシュナー）に使用するのに好適である香料組成物を提供することである。より具体的には、制御可能な蒸発速度を提供し、そして液体電気エアフレッシュナーディスペンサーでのおよび／またはリードディフューザーのようなウィックデバイスでの香料組成物の効果的な利用を可能にすることが本発明の目的である。
【発明の概要】
【０００９】
本発明は、上に記載された要件の少なくとも１つを満たす新規香料組成物を提供する。実際に、意外にも、香り成分と組み合わせての溶剤またはキャリアとしての１つもしくは複数のアルキル（もしくはアリール）−４−ヒドロキシ（もしくはアルコキシ）メチル−１，３−ジオキソラン分子またはそれらのエステルの使用が、電気液体エアフレッシュナーデバイスにおいてまたはリードディフューザーのようなウィックデバイスにおいて組成物が適切に任務を果たすようにそのような芳香性化合物の揮発性を維持することを可能にすることが分かった。それらの分子は、香料を可溶化する能力に加えて、低い臭気をまた示す。
【００１０】
特に、本発明は、芳香性化合物と溶剤またはキャリアとを含む香料組成物であって、組成物の溶剤およびキャリアの総重量を基準にして少なくとも１０重量％は、下式Ｉ：
0006720195.tif 000002
［式中、
Ｒ１およびＲ２は、互いに独立して、線状もしくは分岐のＣ１〜Ｃ１２アルキル、Ｃ４〜Ｃ１２シクロアルキルまたはアリールからなる群から選択され、
Ｒ３は、Ｈ、線状もしくは分岐のアルキル、シクロアルキルまたは、Ｒ４が線状もしくは分岐のアルキルもしくはシクロアルキルである状態で、−Ｃ（＝Ｏ）Ｒ４基である］
の少なくとも１つの化合物である。
【００１１】
実際に、ｓｏｌｋｅｔａｌ（ソルケタール）のような式Ｉのケタール−型分子は、リードディフューザー、電気プラグ−インなどのような、用途の寿命の間ずっと一定速度で芳香を配送するために好適な蒸発プロフィールを示す。さらに、それらの分子は、グリセロール（バイオディーゼル生産からの副産物）のような、再生可能源から合成される。
【００１２】
言い換えれば、本発明は、少なくとも芳香性化合物を含む香料組成物の溶剤またはキャリアとして、下式Ｉ：
0006720195.tif 000003
［式中、
Ｒ１およびＲ２は、互いに独立して、線状もしくは分岐のＣ１〜Ｃ１２アルキル、Ｃ４〜Ｃ１２シクロアルキルまたはアリールからなる群から選択され、
Ｒ３は、Ｈ、線状もしくは分岐のアルキル、シクロアルキルまたは、Ｒ４が線状もしくは分岐のアルキルもしくはシクロアルキルである状態で、−Ｃ（＝Ｏ）Ｒ４基である］
の少なくとも１つの化合物の使用であって、
式Ｉの化合物が、組成物の溶剤およびキャリアの総重量を基準として少なくとも１０重量％を表す使用に照準を定める。
【００１３】
本発明はまた、上に定義されたような香料組成物を含むエアケアデバイス（エアケアデバイスは、ウィッキングデバイス、電気デバイスまたはエアゾールデバイスである）に照準を定める。
【００１４】
言い換えれば、本発明は、芳香性化合物と溶剤またはキャリアとを含む香料組成物の使用であって、式Ｉの少なくとも１つの化合物が、エアケアデバイスにおける組成物の溶剤およびキャリアの総重量を基準として少なくとも１０重量％の量で存在し、エアケアデバイスが、ウィッキングデバイス、電気デバイスまたはエアゾールデバイスである使用に関する。
【００１５】
本発明の第３態様は、香料組成物中の高蒸気圧ＶＯＣの量の低減方法である。この方法は、組成物中に存在する任意の高蒸気圧ＶＯＣの少なくとも一部（好ましくは存在する高蒸気圧ＶＯＣの全量）を除去する工程、組成物の溶剤およびキャリアの総重量を基準として少なくとも１０重量％の、上に記載された式Ｉの少なくとも１つの化合物を組成物に添加する工程を含む。
【００１６】
詳細な説明
本明細書で用いるところでは、「低蒸気圧ＶＯＣ」または「ＬＶＰ−ＶＯＣ」は、（２０℃で０．１ｍｍＨｇ未満の）蒸気圧を有する、芳香物質を含有する消費者製品に使用するための有機溶剤またはキャリアを意味する。
【００１７】
本明細書で用いるところでは、「高蒸気圧ＶＯＣ」または「ＨＶＰ−ＶＯＣ」は、２０℃で０．１ｍｍＨｇ以上の蒸気圧を有する、芳香物質を含有する消費者製品に使用するための有機溶剤またはキャリアを意味する。
【００１８】
本明細書で用いるところでは、用語「溶剤」および「キャリア」は、同じ意味で用いられ、特に明記しない限り、低蒸気圧ＶＯＣまたは高蒸気圧ＶＯＣに関して一般に言及される。
【００１９】
特に明記しない限り、この開示にリストアップされるすべての蒸気圧は、２５℃での蒸気圧である。しかし、ＨＶＰＶＯＣおよびＬＶＰＶＯＣ蒸気圧は、Ｃａｌｉｆｏｒｎｉａ  Ａｉｒ  Ｒｅｓｏｕｒｃｅｓ  Ｂｏａｒｄ（カリフォルニア大気資源委員会）（ＣＡＲＢ）によって制定された協定に従って、２０℃で明記されることが指摘される。
【００２０】
用語「ａ」は、特に明記しない限り、本明細書に沿ってすべて単数または総称複数と考えられるべきである。
【００２１】
式（Ｉ）の化合物
本発明によれば、上に記載された式Ｉの少なくとも１つの化合物が、香料組成物中にＬＶＰ−ＶＯＣ（溶剤またはキャリア）として存在する。
【００２２】
この式Ｉにおいて、Ｒ１およびＲ２は、互いに独立して、メチル、エチル、イソプロピル、ｎ−プロピル、イソブチル、ｎ−ブチル、ｔｅｒｔ−ブチル、ｎ−ペンチル、シクロペンチル、シクロヘキシルまたはフェニルからなる群の中で選択されることが好ましい。
【００２３】
上式Ｉにおいて、Ｒ３は有利には、Ｈまたは、Ｒ４がメチル、エチル、イソプロピル、ｎ−プロピル、イソブチル、ｎ−ブチルまたはｔｅｒｔ−ブチルである状態で、−Ｃ（＝Ｏ）Ｒ４基である。
【００２４】
好ましい一実施形態は、Ｒ１およびＲ２がメチルであり、Ｒ３がＨである場合である。この場合には、化合物は、例えば名称Ａｕｇｅｏ（登録商標）Ｃｌｅａｎ  ＭｕｌｔｉまたはＳｏｌｋｅｔａｌで商業的に入手可能である。この化合物は、周知の古典的な条件下での、グリセロールとアセトンとの間の反応によって合成することができる。
【００２５】
別の実施形態では、Ｒ１はメチルであり、Ｒ２はイソブチルであり、Ｒ３はＨである。この場合には、化合物は、例えば名称Ａｕｇｅｏ（登録商標）Ｃｌｅａｎ  Ｐｌｕｓで商業的に入手可能である。この化合物は、周知の古典的な条件下での、グリセロールとメチル−イソブチルケトンとの間の反応によって合成することができる。
【００２６】
第３実施形態では、Ｒ１はメチルであり、Ｒ２はフェニルであり、Ｒ３はＨである。この場合には、化合物は、例えば名称Ａｕｇｅｏ（登録商標）Ｆｉｌｍ  ＨＢで商業的に入手可能である。この化合物は、周知の古典的な条件下での、グリセロールとアセトフェノンとの間の反応によって合成することができる。
【００２７】
グリセロールは、トリグリセリドのエステル交換中にバイオディーゼル生産からの副産物として得ることができる。
【００２８】
別の可能性は、Ｒ１およびＲ２がメチルであり、Ｒ３が、Ｒ４がメチルである状態で、−Ｃ（＝Ｏ）Ｒ４基であるものを有することである。この場合には、化合物は、例えば名称Ａｕｇｅｏ（登録商標）ＡＣＴで商業的に入手可能である。この化合物は、周知の古典的な条件下でのＳｏｌｋｅｔａｌとアルキルアセテートとのエステル交換によって合成することができる。
【００２９】
本発明の特定の実施形態では、香料組成物は、溶媒またはキャリアとして、式Ｉの２つもしくはそれ以上の化合物のブレンドを含む。
【００３０】
有利には、式Ｉの２つもしくはそれ以上の化合物の前記ブレンドは、以下の化合物Ｉ．１およびＩ．２：
0006720195.tif 000004
を含む。
【００３１】
前記ブレンド、例えばＡｕｇｅｏ（登録商標）Ｃｌｅａｎ  Ｍｕｌｔｉ：Ａｕｇｅｏ（登録商標）ＡＣＴは、次の割合９５：５〜５：９５、好ましくは９０：１０〜１０−９０にあることができる。
【００３２】
本発明によれば、上に記載された香料組成物において、式Ｉの少なくとも１つの化合物は、香料組成物の溶剤およびキャリアの総重量を基準として少なくとも２０重量％、好ましくは少なくとも４０重量％、より好ましくは少なくとも６０重量％を表す。
【００３３】
特定の実施形態では、式Ｉの化合物は、香料組成物の溶剤およびキャリアの総重量を基準として１００重量％を表すことができる。
【００３４】
芳香性化合物
本香料組成物は、芳香性化合物を含む。この化合物は、第一級アルコール、第二級アルコール、アルデヒド、エステル、ケトン、フェノール化合物、テルペン類および他の公認芳香化合物から選択することができる。
【００３５】
本明細書で用いるところでは、用語「芳香性化合物」は、一般に快感上心地良い香りを付与する成分を意味する。一実施形態では、香り成分は、Ａｌｌｕｒｅｄ  Ｐｕｂｌｉｓｈｉｎｇ  Ｉｎｃ．によって出版された、Ａｌｌｕｒｅｄ’ｓ  Ｆｌａｖｏｒ  ａｎｄ  Ｆｒａｇｒａｎｃｅ  ｍａｔｅｒｉａｌｓ  ２００４、ＩＦＲＡ（Ｉｎｔｅｒｎａｔｉｏｎａｌ  Ｆｒａｇｒａｎｃｅ  Ｒｅｓｅａｒｃｈ  Ａｓｓｏｃｉａｔｉｏｎ）データベース、およびＲＩＦＭ（Ｒｅｓｅａｒｃｈ  Ｉｎｓｔｉｔｕｔｅ  ｏｆ  Ｆｒａｇｒａｎｃｅ  Ｍａｔｅｒｉａｌｓ）データベースのどれかにリストアップされた芳香および風味物質を意味し、それらのそれぞれは、およびこれによってそれらの全体を参照により援用される。
【００３６】
本発明による芳香性化合物は有利には、市販香料（例えば、クエン酸様、ラベンダー様およびバニラ様）である。
【００３７】
本発明の香料組成物において、芳香性化合物は、香料組成物の総重量を基準として１０〜８０重量％、有利には香料組成物の総重量を基準として２０〜６０重量％を表すことができる。
【００３８】
他の成分
本発明の香料組成物は、水、界面活性剤、着色剤、増強剤などのような他の成分を含むことができる。一般に、それらの他の成分の総量は、組成物の総重量を基準として４０重量％を超えず、好ましくは２０重量％未満である。
【００３９】
一実施形態では、１つもしくは複数の増強剤化合物は、式：
0006720195.tif 000005
（式中、
Ｒは、Ｃ１〜Ｃ１０置換もしくは非置換アルキル、アルケニル基、またはＣ４〜Ｃ８置換もしくは非置換シクロアルキルまたはアリール基であり；Ｘは、水素、またはＣ１〜Ｃ５非置換アルキル基である）
で表される。
【００４０】
一実施形態では、Ｒは、Ｃ４〜Ｃ８置換もしくは非置換アルキル基である。一実施形態では、Ｒは、Ｃ６置換もしくは非置換アルキル基である。Ｒは、１個もしくは複数個のメチル基で鎖に沿ってどこでも、例えば、置換されていることができる。一実施形態では、ＸはＨである。一実施形態では、Ｘは、Ｃ１〜Ｃ３非置換アルキル基である。
【００４１】
一実施形態では、増強剤化合物は、ヘキシルアセテート、３，３，５−トリメチルヘキシルアセテート、ボルニルフォーメート、３−ヘキセニルブチレート、フェニルエチルアセタール、ブチルヘキサノエート、イソノナノール、アセトンアルコール、イソプレニルアセテート、イソブチル２−ペンタノエート、アミルプロピオネート、ハーバルジオキサン、フルフリルフォーメート、メチルアセチルアセトン、およびブチルアセトアセテートから選択される。一実施形態では、増強剤化合物は、３，３，５−トリメチルヘキシルアセテートおよびヘキシルアセテートから選択される。
【００４２】
エアケアデバイス
上に言及されたように、本発明はまた、上に定義されたような香料組成物を含むエアケアデバイス（エアケアデバイスは、ウィッキングデバイス電気デバイスまたはエアゾールデバイスである）に照準を定める。
【００４３】
用語「エアケアデバイス」は、揮発性物質の少なくともいくらかの蒸発を可能にする任意の好適な表面を含む。任意の好適なサイズ、形状、形態、または構造を有する任意の好適なエアケアデバイスを用いることができる。好適なエアケアデバイスは、天然材料、人造材料、繊維材料、非繊維材料、多孔性材料、非多孔性材料、およびそれらの組み合わせを含むが、それらに限定されない、任意の好適な材料から製造することができる。ある種の実施形態では、本明細書で用いられるエアケアデバイスは、特性がフレームレスであり、（香料、脱臭剤、殺菌剤または殺虫剤活性剤などの）任意のタイプの揮発性物質（例えば液体）を雰囲気中へ分配させるために用いられる任意のデバイスを含む。ある種の非限定的な実施形態では、典型的なエアケアデバイスは、スティック、ウィック、ゲル、および／または多孔性表面、ならびに揮発性液体を液体流体溜めから分配するための放出領域の組み合わせを利用する。
【００４４】
（ウィッキングデバイスなどの）エアケアデバイスは、香料、脱臭剤、殺菌剤または殺虫剤活性剤などの、揮発性液体を雰囲気中へ分配することで知られている。典型的なエアケアデバイスは、ウィックと、揮発性液体を液体流体溜めから分配するための放出領域との組み合わせを利用する。エアケアデバイスは、米国特許第１，９９４，９３２号明細書；同第２，５９７，１９５号明細書；同第２，８０２，６９５号明細書；同第２，８０４，２９１号明細書；同第２，８４７，９７６号明細書に記載されている。理想的には、エアケアデバイスは、メンテナンスをほとんどまたはまったく必要としないものであるべきであり、そして揮発性物質が、デバイスの寿命にわたってその放出完全性を維持しながら、指定エリア中へ安定した、制御された速度で分配されることを可能にするやり方で任務を果たすべきである。
【００４５】
一実施形態では、エアケアデバイスは、電気液体エアフレッシュナーデバイスである。上に指摘されたように、用語「電気液体エアフレッシュナーデバイス」または「液体電気エアフレッシュナー」は、加熱された液体ウィック配送システム、圧電式噴霧システム、電気スプレーデバイスまたはＶｅｎｔｕｒｉデバイスを含む、電気またはバッテリーエネルギー源を含むデバイスまたはシステムを意味する。電気液体エアフレッシュナーデバイスの商業例としては、ＳＣ  Ｊｏｈｎｓｏｎ＆Ｓｏｎｓによって販売される、Ｇｌａｄｅ（登録商標）ＰｌｕｇＩｎｓ（登録商標）Ｓｃｅｎｔｅｄ  ｏｉｌ；Ｒｅｃｋｉｔｔ  Ｂｅｎｃｋｉｓｅｒによって販売されるＡｉｒ  Ｗｉｃｋ  Ｓｃｅｎｔｅｄ  Ｏｉｌｓ、およびＡｉｒ  Ｗｉｃｋ  Ｘ−Ｐｒｅｓｓ（登録商標）Ｓｃｅｎｔｅｄ  Ｏｉｌｓ；Ｐｒｏｃｔｅｒ＆Ｇａｍｂｌｅ  Ｃｏ．によって販売される、Ｆｅｂｒｅｚｅ  Ｎｏｔｉｃｅａｂｌｅｓ；Ｙａｎｋｅｅ  Ｃａｎｄｌｅ  Ｃｏ．によって販売されるＥｌｅｃｔｒｉｃ  Ｈｏｍｅ  Ａｉｒ  Ｆｒｅｓｈｅｎｅｒｓ；ならびにＨｅｎｋｅｌ  ＡＧによって販売される、Ｒｅｎｕｚｉｔ  Ｓｃｅｎｔｅｄ  Ｏｉｌｓが挙げられるが、それらに限定されない。
【００４６】
有利には、エアケアデバイスは、電気液体エアフレッシュナーであることができる。
【００４７】
本明細書で用いるところでは、用語「電気液体エアフレッシュナーデバイス」は、電気またはバッテリーエネルギー源を含むデバイスまたはシステムを意味する。用語「電気液体エアフレッシュナーデバイスは、加熱された液体ウィックシステム、圧電式噴霧システム、電気スプレーデバイスおよびＶｅｎｔｕｒｉデバイス、ならびに太陽エネルギーもしくは他の代替形態のエネルギーで作動するデバイスを含む。
【００４８】
電気液体エアフレッシュナーは好ましくは、プラグ−インである。
【００４９】
現在開示される香料組成物は、液体香り成分とＬＶＰ−ＶＯＣ溶剤との単純混合物の形態にあることができるし、または一糖、二糖もしくは三糖類、天然デンプンもしくは変性デンプン、親水コロイド、セルロース誘導体、ポリ酢酸ビニル、ポリビニルアルコール、タンパク質またはペクチンなどの壁形成材料および可塑化材料を含んでもよい固体マトリックス中に例えば、封入された、封入形態にあることができる。特に有用なマトリックス材料の例としては、例えば、サッカロース、グルコース、ラクトース、レブロース、フルクトース、マルトース、リボース、デキストロース、イソマルト、ソルビトール、マンニトール、キシリトール、ラクチトール、マリトール、ペンタトール、アラビノース、ペントース、キシロース、ガラクトース、マルトデキストリン、デキストリン、化学修飾デンプン、水素化デンプン加水分解物、スクシニル化または加水分解デンプン、寒天、カラギーナン、アラビアゴム、アカシアゴム、トラガント、アルギネート、メチルセルロース、カルボキシメチルセルロース、ヒドロキシエチルセルロース、ヒドロキシプロピルメチルセルロース、誘導体、ゼラチン、寒天、アルギネートおよびそれらの混合物が挙げられる。封入技法は、当業者に周知であり、例えば、噴霧乾燥、集塊もしくは押出、または液滴形成および複雑液滴形成技法などの、コーティング封入などの技法を用いて行われ得る。
【００５０】
あるいはまた、エアケアデバイスは、ウィッキングデバイスであることができる。
【００５１】
本明細書で用いるところでは、用語「ウィックデバイス」は、電気またはバッテリーエネルギー源を含まないデバイスまたはシステムを意味する。用語「リードディフューザー」は、スティックを通って蒸発する処方の毛管現象の原理を用いるウィック型デバイスに対して適用される。
【００５２】
一実施形態では、ウィックデバイスはリードディフューザーである。上に指摘されたように、用語「リードディフューザー」は、電気またはバッテリーエネルギー源を含まないデバイスまたはシステムを意味するが、このタイプのデバイスは、スティックを通って蒸発する処方の毛管現象の原理を用いる。リードディフューザーデバイスの商業例としては、ＳＣ  Ｊｏｈｎｓｏｎ＆Ｓｏｎｓによって販売される、Ｇｌａｄｅ（登録商標）ＰｌｕｇＩｎｓ（登録商標）Ｓｃｅｎｔｅｄ  ｏｉｌ；Ｒｅｃｋｉｔｔ  Ｂｅｎｃｋｉｓｅｒによって販売される、Ａｉｒ  Ｗｉｃｋ  Ｓｃｅｎｔｅｄ  Ｏｉｌｓ、およびＡｉｒ  Ｗｉｃｋ  Ｘ−Ｐｒｅｓｓ（登録商標）Ｓｃｅｎｔｅｄ  Ｏｉｌｓ；Ｐｒｏｃｔｅｒ＆Ｇａｍｂｌｅ  Ｃｏ．によって販売されるＦｅｂｒｅｚｅ  Ｎｏｔｉｃｅａｂｌｅｓ；Ｙａｎｋｅｅ  Ｃａｎｄｌｅ  Ｃｏ．によって販売される、Ｅｌｅｃｔｒｉｃ  Ｈｏｍｅ  Ａｉｒ  Ｆｒｅｓｈｅｎｅｒｓ；ならびにＨｅｎｋｅｌによって販売される、Ｒｅｎｕｚｉｔ  Ｓｃｅｎｔｅｄ  Ｏｉｌｓが挙げられるが、それらに限定されない。
【００５３】
エアケアデバイスがエアゾールデバイスである場合、推進剤が、香料組成物とともに、容器中へ導入される。
【００５４】
性能
一実施形態では、香料組成物の少なくとも１０重量％は、周囲条件に維持されている、リードディフューザーについて３０日以内に蒸発する。好ましくは、香料組成物は、制御されたやり方で蒸発する。蒸発速度は、特定の用途に望まれる蒸発速度に適合するように調整することができる。
【００５５】
本明細書で用いるところでは、香料組成物は、所与の期間（例えば、３０日）にわたっての単位時間当たりの、香料損失の重量（例えば、０．２〜３．０ｇ／日）として測定される、蒸発速度が所与の期間にわたって比較的一定である場合に制御されたやり方で蒸発する。一実施形態では、蒸発速度は、単位時間当たりの香料損失の重量が、所与の期間にわたって±５％、または±１０％もしくは±２０％未満だけ異なる場合に比較的一定である。
【００５６】
低蒸気圧ＶＯＣ
上に指摘されたように、本明細書で用いるところでは、「低蒸気圧ＶＯＣ」または「ＬＶＰ−ＶＯＣ」は、２０℃で０．１ｍｍＨｇ未満の蒸気圧を有する有機溶剤またはキャリアを意味する。上に記載された式Ｉの化合物などの、低蒸気圧ＶＯＣは、仮にあったとしても、液体電気エアフレッシュナーまたはリードディフューザーのようなウィックデバイスに認められていなかったし、広く使用されてこなかった。低蒸気圧ＶＯＣが用いられる場合、結果として生じる香料組成物は、ますます厳しい環境規制の対象となるより高い蒸気圧ＶＯＣを含有する匹敵する調合物の性能を満たすかまたはそれを超える性能を達成する。これらの処方は、それらが低いおよび／または快適な芳香プロフィールで芳香化でき、かつ、低毒性問題を有し、そしてエアケア用途に典型的に使用される他のキャリアに関連したＶＯＣ問題がまったくないだけでなく、良好な減量プロフィールを有するという点において有利である。
【００５７】
一例は、２０℃で０．０４ｍｍＨｇの蒸気圧を有するＡｕｇｅｏ  Ｃｌｅａｎ  Ｍｕｌｔｉである。
【００５８】
本香料組成物は、電気液体エアフレッシュナーまたはリードディフューザーなどのウィックデバイスに使用される場合に、快感上心地良い、かつ、一定した芳香プロフィールをもたらし得ることが意外にも分かった。したがって、現在開示される主題の一実施形態は、本明細書に開示される香料組成物を含有するウィックデバイス（例えば、リードディフューザー）を提供する。
【００５９】
芳香性化合物の蒸発速度は、芳香を長期間にわたって周囲環境中へ分配するために制御することができる。通常の香料製造者は、狭い場所（例えば、浴室もしくは居間）または広い場所（例えば、大きい商業空間および娯楽空間）中への制御された蒸発を提供するために香料組成物を修正することができる。一実施形態では、現在開示される香料組成物は、制御されたやり方で蒸発する。香料組成物は、所与の期間（例えば、３０日）にわたっての単位時間当たりの、香料損失の重量（例えば、０．２〜３．０ｇ／日）として測定される、蒸発速度が、所与の期間にわたって比較的一定である場合に制御されたやり方で蒸発する。一実施形態では、蒸発速度は、単位時間当たりの香料損失の重量が所与の期間にわたって±５％、または±１０％もしくは±２０％未満だけ異なる場合に比較的一定である。
【００６０】
一実施形態では、現在開示される香料組成物は、３０日にわたって、１日当たり約０．２〜約３．０グラムの速度で蒸発する。さらになお一層の実施形態では、所与の期間（例えば３０、４０または６０日）にわたって、蒸発速度（例えば、１日当たりの香料損失のグラム）は、所与の期間にわたって±５％、または±１０％もしくは±２０％未満だけ変わる。
【００６１】
記載される主題の様々な実施形態およびその利点のより完全な理解のために、添付図面と併用される、以下の説明について今言及される。
【図面の簡単な説明】
【００６２】
【図１】図１は、３０日にわたっての香料の減量の量として測定される、実施例１で下に記載されるような、標準香料調合物Ａ２（ＤＰＭ）と、本発明による低蒸気圧ＶＯＣ調合物Ａ１との間の蒸発比較である。
【図２】図２は、３０日にわたっての香料の減量の量として測定される、実施例２で下に記載されるような、標準香料調合物Ｂ２（ＭＭＢ）と、本発明による低蒸気圧ＶＯＣ調合物Ｂ１との間の蒸発比較である。
【図３】図３および３の２は、組成物の減量の量として測定される、蒸発曲線を示す。
【図４】図４および４の２は、組成物の減量の量として測定される、蒸発曲線を示す。
【図５】図５は、組成物の減量の量として測定される、蒸発曲線を示す。
【図６】図６および６の２は、組成物の減量の量として測定される、蒸発曲線を示す。
【実施例】
【００６３】
本出願は、省略形が当技術分野での通常の意味を有する、下に提示される、実施例によってさらに説明される。
【００６４】
蒸発速度を測定するための方法論
−  表面積約７０ｃｍ２のペトリ皿を秤量する＝ＰＤ初期
−  ペトリ皿において１ｇの調合物を秤量する＝Ｆ初期
−  室温（約２５℃）および制御湿度でペトリ皿を放置する
−  少なくとも８時間の間３０分毎に（ペトリ皿＋調合物）を秤量する＝（ＰＤ＋Ｆ）ｘ（ここで、ｘは、秤量の各時点である）
−  各時点について減量を計算する。
0006720195.tif 000006
【００６５】
実施例１
Ｄｏｗａｎｏｌ  ＤＰＭグリコールエーテルを含有する商業的に入手可能なラベンダー香料組成物（Ａ２）を、溶剤またはキャリアがＡｕｇｅｏ（登録商標）Ｃｌｅａｎ  Ｍｕｌｔｉ（Ａ１）で１００％置き換えられた同じ組成物と比較する。
【００６６】
ＨＶＰ−ＶＯＣである、Ｄｏｗａｎｏｌ  ＤＰＭグリコールエーテルは、Ｃａｌｉｆｏｒｎｉａ  Ａｉｒ  Ｒｅｓｏｕｒｃｅ  Ｂｏａｒｄ（ＣＡＲＢ）によって制定された規制などの、最も厳しい環境規制に適合しない可能性がある。
【００６７】
最も厳しい規制基準に適合する（例えば、ＣＡＲＢに準拠している）低蒸気圧ＶＯＣ溶剤を使用するにもかかわらず、ＨＶＰ−ＶＯＣを含有する調合物と類似の蒸発速度、および嗅覚特性を持った調合物が望まれる。
【００６８】
調合物（Ａ１）および比較調合物（Ａ２）を表１で下に記載される。
【００６９】
0006720195.tif 000007
【００７０】
組成物の減量の量として測定される、比較調合物Ａ２および調合物Ａ１についての蒸発曲線を、図１に示す。それに示されるように、３０日にわたっての低ＶＯＣキャリア調合物Ａ１の蒸発プロフィールは、Ｃａｌｉｆｏｒｎｉａ  Ａｉｒ  Ｒｅｓｏｕｒｃｅ  Ｂｏａｒｄ（ＣＡＲＢ）によって制定された規制に準拠していない、比較調合物Ａ２のそれに似ており、そしてそれよりもさらに良好である。実際に、調合物Ａ１は、Ａ２よりもゆっくり蒸発し、それは、溶剤がより長い期間の間、芳香を空気中へ持ち込むことができ、より良好な性能を示すことを意味する。
【００７１】
実施例２
メトキシメチルブタノール（ＭＭＢ）を含有する商業的に入手可能なラベンダー香料組成物（Ｂ２）を、溶剤またはキャリアがＡｕｇｅｏ（登録商標）Ｃｌｅａｎ  Ｍｕｌｔｉ（Ｂ１）で１００％置き換えられた同じ組成物と比較する。
【００７２】
ＨＶＰ−ＶＯＣである、メトキシメチルブタノール（ＭＭＢ）は、Ｃａｌｉｆｏｒｎｉａ  Ａｉｒ  Ｒｅｓｏｕｒｃｅ  Ｂｏａｒｄ（ＣＡＲＢ）によって制定された規制などの、最も厳しい環境規制に適合しない可能性がある。
【００７３】
最も厳しい規制基準に適合する（例えば、ＣＡＲＢに準拠している）低蒸気圧ＶＯＣ溶剤を使用するにもかかわらず、比較調合物Ｂ２と類似の蒸発速度、および嗅覚特性を持った調合物が望まれる。
【００７４】
調合物（Ｂ１）および比較調合物（Ｂ２）を表２で下に記載される。
【００７５】
0006720195.tif 000008
【００７６】
組成物の減量の量として測定される、比較調合物Ｂ２および低ＶＯＣキャリア調合物Ｂ１についての蒸発曲線を、図２に示す。それに示されるように、３０日にわたっての低ＶＯＣキャリア調合物Ｂ１の蒸発プロフィールは、Ｃａｌｉｆｏｒｎｉａ  Ａｉｒ  Ｒｅｓｏｕｒｃｅ  Ｂｏａｒｄ（ＣＡＲＢ）によって制定された規制に準拠していない、比較調合物Ｂ２のそれに似ており、そしてそれよりもさらに良好である。実施例１についてのように、調合物Ｂ１についての蒸発は、Ｂ２よりもゆっくりであり、それは、芳香がより長い期間の間、空気中に留まることを意味する。
【００７７】
実施例３−溶剤型香料組成物
商業的に入手可能な香料を表３で下に記載される溶剤中へ可溶化し、蒸発速度を測定する。
【００７８】
0006720195.tif 000009
【００７９】
組成物の減量の量として測定される、図３および３の２に示される蒸発曲線から、５０時間にわたっての低ＶＯＣキャリア調合物Ｃ１およびＣ４の蒸発プロフィールは、Ｃａｌｉｆｏｒｎｉａ  Ａｉｒ  Ｒｅｓｏｕｒｃｅ  Ｂｏａｒｄ（ＣＡＲＢ）によって制定された規制に準拠していない、比較調合物Ｃ２、Ｃ３、Ｃ５およびＣ６のものよりも良好である。実際に、調合物Ｃ１およびＣ４は、比較調合物Ｃ２、Ｃ３、Ｃ５およびＣ６よりもゆっくり蒸発し、それは、Ｃ１およびＣ４の溶剤がより長い期間の間、芳香を空気中へ持ち込むことができ、より良好な性能を示すことを意味する。
【００８０】
実施例４−溶剤型香料組成物
商業的に入手可能な香料を表４で下に記載される溶剤中へ可溶化し、蒸発速度を測定する。
【００８１】
0006720195.tif 000010
【００８２】
組成物の減量の量として測定される、図４および４の２に示される蒸発曲線から、２４０分にわたっての低ＶＯＣキャリア調合物Ｄ１〜Ｄ３およびＤ６〜Ｄ８の蒸発プロフィールは、Ｃａｌｉｆｏｒｎｉａ  Ａｉｒ  Ｒｅｓｏｕｒｃｅ  Ｂｏａｒｄ（ＣＡＲＢ）によって制定された規制に準拠していない、比較調合物Ｄ４およびＤ５ならびにＤ９およびＤ１０のものよりも良好である。実際に、調合物Ｄ１〜Ｄ３およびＤ６〜Ｄ８は、比較調合物Ｄ４およびＤ５ならびにＤ９およびＤ１０よりもゆっくり蒸発し、それは、溶剤Ｄ１〜Ｄ３およびＤ６〜Ｄ８がより長い期間の間、芳香を空気中へ持ち込むことができ、より良好な性能を示すことを意味する。
【００８３】
実施例５−水性香料組成物
商業的に入手可能な香料からの香料組成物を表５で下に記載されるように調製し、蒸発速度を測定する。
【００８４】
0006720195.tif 000011
【００８５】
組成物の減量の量として測定される、図５に示される蒸発曲線から、５０時間にわたっての低ＶＯＣキャリア調合物Ｅ１の蒸発プロフィールは、Ｃａｌｉｆｏｒｎｉａ  Ａｉｒ  Ｒｅｓｏｕｒｃｅ  Ｂｏａｒｄ（ＣＡＲＢ）によって制定された規制に準拠していない、比較調合物Ｅ２およびＥ３のものよりも良好である。実際に、調合物Ｅ１は、比較調合物Ｅ２およびＥ３よりもゆっくり蒸発し、それは、Ｅ１の溶剤がより長い期間の間、芳香を空気中へ持ち込むことができ、より良好な性能を示すことを意味する。
【００８６】
実施例６−水性香料組成物
商業的に入手可能な香料からの香料組成物を表６で下に記載されるように調製し、蒸発速度を測定する。
【００８７】
0006720195.tif 000012
【００８８】
組成物の減量の量として測定される、図６および６の２に示される蒸発曲線から、２４０分にわたっての低ＶＯＣキャリア調合物Ｆ１〜Ｆ３およびＦ６〜Ｆ８の蒸発プロフィールは、Ｃａｌｉｆｏｒｎｉａ  Ａｉｒ  Ｒｅｓｏｕｒｃｅ  Ｂｏａｒｄ（ＣＡＲＢ）によって制定された規制に準拠していない、比較調合物Ｆ４およびＦ５ならびにＦ９およびＦ１０のものよりも良好である。実際に、調合物Ｆ１〜Ｆ３およびＦ６〜Ｆ８は、比較調合物Ｆ４およびＦ５ならびにＦ９およびＦ１０よりもゆっくり蒸発し、それは、溶剤Ｆ１〜Ｆ３およびＦ６〜Ｆ８がより長い期間の間、芳香を空気中へ持ち込むことができ、より良好な性能を示すことを意味する。
【００８９】
そのような実施例の使用は、例示的であるにすぎず、本発明の、または本明細書に用いられる任意の例示された用語もしくは語句の範囲および意図を決して限定しない。同様に、本発明は、本明細書に記載されるいかなる特定の好ましい実施形態にも限定されない。実際に、本発明の多くの修正および変形が、この明細書を読むと当業者には明らかであろう。
【００９０】
すべての値は近似値であり、説明のために提供されていることがさらに理解される。
【図１】
0006720195.tif 000017
【図２】
0006720195.tif 000018
【図３】
0006720195.tif 000019
【図４】
0006720195.tif 000020
【図５】
0006720195.tif 000021
【図６】
0006720195.tif 000022